(57)【要約】【課題】工場、倉庫または商業施設などの床面を清掃する清掃作業において、経済的、時間的および工数的負担を軽減することができる清掃具を提供する。【解決手段】清掃具１０は、床面を掃除する掃除体１３と、同掃除体１３を作業台車２０に取り付けるための固定体１４とを備えている。掃除体１３は、多数の撚り糸１１ａを束ねた拭掃部１１と、同拭掃部１１を保持する筒状の保持部１２とを備えている。固定体１４は、紐状の本体ロープ１４ａと同本体ロープ１４ａの両端部に設けられた鉤状のフック１４ｂとを備え、掃除体１３の保持部１２内に挿入された状態で配置されている。作業者は、作業台車２０の底板２１の下面中央部において作業台車２０の幅方向に対して保持部１２の軸線が平行になるように清掃具１０を配置する。そして、作業台車２０の底板２１の縁部に固定体１４の各フック１４ｂを引っ掛けることにより、作業台車２０の底板２１の下方領域に清掃具１０を装着する。【選択図】  図１
2009219815.tif 000002
【特許請求の範囲】
【請求項１】
床面上を移動可能な移動体に取り付けられて同床面を清掃する清掃具において、
筒状に形成された保持部に沿って下垂した状態で設けられ、前記床面と接触して同床面を掃除する拭掃部を備えた掃除体と、
前記保持部内に挿入される挿入部を備え、同挿入部により前記保持部を支持した状態で前記掃除体を前記移動体に取り付ける固定体とを備えたことを特徴とする清掃具。
【請求項２】
請求項１に記載した清掃具において、
前記拭掃部は、前記床面上に存在するゴミを拭き、または掃き取ることができる布、不織布、繊維の束およびブラシのうちの少なくとも１つを備える清掃具。
【請求項３】
請求項１または請求項２に記載した清掃具において、
前記掃除体は、複数の前記拭掃部を備えるとともに、同各拭掃部がそれぞれ分離可能な状態で前記保持部に保持された清掃具。
【請求項４】
請求項１ないし請求項３のうちのいずれか１つに記載した清掃具において、
前記固定体は、前記挿入部が紐状に形成されており、
前記掃除体を前記移動体に取り付けるための係止部が前記挿入部に設けられた清掃具。
【請求項５】
請求項１ないし請求項３のうちのいずれか１つに記載した清掃具において、
前記固定体は、
前記挿入部が棒状に形成されており、
前記棒状に形成された挿入部の一方の端部を回転自在に支持するとともに、他方の端部を着脱自在に支持する支持部と、
前記支持部を前記移動体に取り付けるための紐部とで構成された清掃具。
【発明の詳細な説明】
【技術分野】
【０００１】
本発明は、床面上を移動可能な移動体に取り付けられて同床面を清掃する清掃具に関する。
【背景技術】
【０００２】
従来から、工場、倉庫、または商業施設などの床面の清掃においては、ほうきやモップを用いた人手による清掃、またはポリッシャと呼ばれる電動の床面専用清掃機を用いた機械による清掃が行われている。一般に、これらの工場、倉庫、または商業施設などにおける清掃作業においては、清掃対象となる床面積が大きいため、清掃作業を自らが行うにしても専門の業者に依頼するにしても床面積に応じた多大な時間、手間および費用が必要となる。
【０００３】
そこで、下記特許文献１〜６には、工場や倉庫などの構内で用いられている作業車に装着して床面を清掃するためのモップ、同モップなどを備える清掃具、または同モップを作業車に取り付けるための取付具がそれぞれ提案されている。また、下記特許文献７には、ショッピングセンタなどの商業施設内において来店者に利用されるショッピングカートにモップを備える清掃具を装着することにより、ショッピングカートの移動とともに床面を清掃する清掃具が提案されている。
【特許文献１】実用新案登録第３０２０１８２号公報
【特許文献２】特開平０７−１８０１２２号公報
【特許文献３】特開平０７−３１５１１４号公報
【特許文献４】特開平０９−１４０６４９号公報
【特許文献５】特開２０００−９３３７４号公報
【特許文献６】特開２０００−９３３７５号公報
【特許文献７】実開平０７−１３６４１号公報
【０００４】
しかしながら、上記各特許文献１〜７に提案されている各種清掃具は、モップを作業車やショッピングカートに装着するための取付具の部品点数が多く構成が複雑であるため、清掃具が高価になるとともに、その取り扱いが煩雑であるという問題がある。特に、工場、倉庫または商業施設においては、多数の作業車やショッピングカートが用いられているため、清掃作業に掛かる経済的、時間的および工数的負担は極めて大きい。
【発明の開示】
【０００５】
本発明は上記問題に対処するためなされたもので、その目的は、工場、倉庫または商業施設などの床面を清掃する清掃作業において、経済的、時間的および工数的負担を軽減することができる清掃具を提供することにある。
【０００６】
上記目的を達成するため、請求項１に係る発明の特徴は、床面上を移動可能な移動体に取り付けられて同床面を清掃する清掃具において、筒状に形成された保持部に沿って下垂した状態で設けられ、床面と接触して同床面を掃除する拭掃部を備えた掃除体と、保持部内に挿入される挿入部を備え、同挿入部により保持部を支持した状態で掃除体を移動体に取り付ける固定体とを備えたことにある。
【０００７】
このように構成した請求項１に係る発明の特徴によれば、清掃具は、床面を掃除する掃除体、および同掃除体を移動体に取り付けるための固定体の２つの部材で構成されている。この場合、掃除体は、拭掃部を保持する筒状の保持部内に固定体の挿入部が挿入されることにより支持されている。すなわち、清掃具は、少ない部品点数によって極めて単純に構成されている。このため、清掃具を従来に比べて安価に製造することができるとともに、床面上を移動可能な移動体に簡単かつ短時間に着脱できる。この結果、清掃作業における経済的、時間的および工数的負担を軽減することができる。
【０００８】
また、請求項２に係る発明の特徴は、前記清掃具において、拭掃部は、床面上に存在するゴミを拭き、または掃き取ることができる布、不織布、繊維の束およびブラシのうちの少なくとも１つを備えることにある。
【０００９】
このように構成した請求項２に係る発明の特徴によれば、清掃対象となる床面の性状やゴミの種類に応じて効果的な掃除体を構成することができる。この結果、清掃具における床面の清掃能力が向上し、同床面の清掃精度および清掃効率を高めることができる。
【００１０】
また、請求項３に係る発明の特徴は、前記清掃具において、掃除体は、複数の拭掃部を備えるとともに、同各拭掃部がそれぞれ分離可能な状態で保持部に保持されたことにある。
【００１１】
このように構成した請求項３に係る発明の特徴によれば、清掃具が取り付けられる移動体の大きさ（換言すれば、清掃面積）に応じて掃除体を拭掃部単位で分離することにより同掃除体の大きさを小さくしたり、他の掃除体を継ぎ足すことにより同掃除体の大きさを大きくしたりすることが容易に行える。このため、様々な大きさの移動体にそれぞれ最適な大きさの掃除体を装着することができる。この結果、各移動体ごとの床面の清掃能力を維持または向上させることができ、同床面の清掃精度および清掃効率を高めることができる。また、清掃具の大きさを移動体の大きさに応じて調整することができるため、清掃具の適用範囲を一層拡げることができる。さらに、使用により清掃能力が低下して耐用限度を超えた一部の拭掃部を分離して新規な拭掃部に交換することにより、掃除体の経済的な運用を図ることができる。
【００１２】
また、請求項４に係る発明の特徴は、前記清掃具において、固定体は、挿入部が紐状に形成されており、掃除体を移動体に取り付けるための係止部が挿入部に設けられたことにある。
【００１３】
このように構成した請求項４に係る発明の特徴によれば、固定体における挿入部が紐状に形成されるとともに、同挿入部に係止具が設けられている。このため、工場や倉庫内で用いられる各種台車から、商業施設で用いられるショッピングカートまで幅広い形態の移動体に清掃具を容易に取り付けることができる。この結果、清掃具の適用範囲を広範にすることができ、様々な事業所の床面を清掃することができる。
【００１４】
また、請求項５に係る発明の特徴は、前記清掃具において、固定体は、挿入部が棒状に形成されており、棒状に形成された挿入部の一方の端部を回転自在に支持するとともに、他方の端部を着脱自在に支持する支持部と、支持部を移動体に取り付けるための紐部とで構成したことにある。
【００１５】
このように構成した請求項５に係る発明の特徴によれば、拭掃部を保持する保持部は棒状に形成された挿入部によって支持され、同挿入部は支持部によって他方の端部が開放可能な状態で支持されている。これにより、掃除体を安定的に支持しながら挿入部から掃除体を容易に着脱することができる。すなわち、掃除体の着脱容易性を損なうことなく掃除体の清掃能力を維持または向上させることができる。この結果、床面の清掃精度および清掃効率を高めることができる。
【発明を実施するための最良の形態】
【００１６】
（清掃具１０の構成）
以下、本発明に係る清掃具の一実施形態について図面を参照しながら説明する。図１（Ａ），（Ｂ）は、本発明に係る清掃具１０の全体構成を概略的に示す図であり、図１（Ａ）は正面図、図１（Ｂ）は図１（Ａ）に示すＡ−Ａ線から見た断面図である。なお、本明細書において参照する各図は、本発明の理解を容易にするために一部の構成要素を誇張して表わすなど模式的に表している。このため、各構成要素間の寸法や比率などは異なっていることがある。この清掃具１０は、工場や倉庫などで用いられる作業台車などの移動体に取り付けられて、工場や倉庫などの床面の清掃に用いられるものである。
【００１７】
この清掃具１０は、拭掃部１１と保持部１２とからなる掃除体１３を備えている。拭掃部１１は、清掃対象となる床面上に散在するゴミを絡めることができる撚り糸１１ａを互いの軸線が平行な向きで多数配置して構成された所謂モップである。この拭掃部１１は、撚り糸１１ａの配置方向に所定の長さで区切られた１つの単位拭掃体１１ｂを２つ備えて構成されている。本実施形態においては、直径が約２ｍｍ、長さが約１７０ｍｍの撚り糸１１ａを幅方向（図示左右方向）に約１９０ｍｍ分、厚さ方向に２〜４本用いて１つの単位拭掃体１１ｂ（束）を構成している。これら２つの単位拭掃体１１ｂは、所定の間隔（本実施形態においては、約１０ｍｍ）を介して配置されるとともに、撚り糸１１ａの上端部１１ｃが保持部１２によって束ねられている。
【００１８】
保持部１２は、塩化ビニール製の方形状シートの両端部を糸１２ａで縫合することにより筒状に形成された部材である。この保持部１２における前記縫合部分は、前記拭掃部１１における上端部１１ｃを挟んだ状態で前記方形状シートにおける両端部を縫合した保持部分Ｃ（図において破線円で示す）と、同拭掃部１１の上端部１１ｃを挟まない状態で方形状シートにおける両端部を直接縫合した分離部分Ｓ（図において破線円で示す）とで構成されている。すなわち、拭掃部１１は、保持部１２の軸線に沿って下垂した状態で保持されている。また、拭掃部１１の上端部１１ｃを挟まない状態で縫合された分離部分Ｓは糸１２ａが所謂折り返し縫いにより縫合されている。この保持部１２における筒内には、固定体１４が挿入されている。
【００１９】
固定体１４は、清掃具１０を作業台車などの移動体に取り付けるための部材であり、主として、本体ロープ１４ａとフック１４ｂとで構成されている。ロープ１４ａは、自由に屈曲および伸び縮みするゴム製のロープである。本実施形態においては、直径が約１０ｍｍ、長さが約８００ｍｍに形成されたロープを用いている。また、フック１４ｂは、略Ｊ字状に形成された鋼製の金具であり、ロープ１４ａの両端部にそれぞれ設けられている。この固定体１４は、ロープ１４ａの両端部に設けられたフック１４ｂが前記保持部１２の筒内の外側に露出した状態で同筒内に配置されている。
【００２０】
（清掃具１０の作動）
次に、上記のように構成した清掃具１０の使用方法について説明する。まず、作業者は、清掃具１０と、同清掃具１０を取り付ける対象となる作業台車２０とを用意する。作業台車２０は、図２（Ａ），（Ｂ）に示すように、工場や倉庫内で用いる図示しない各種工具や計器類などの各種道具を収容した状態で移動させることができるワゴンである。この作業台車２０は、上面が開放した箱状の底板２１の上方に２つの棚板２２，２３が４つの支柱２４によって固定されるとともに、同底板２１の下面の四隅に作業台車２０の移動を可能とする４つのキャスタ２５がそれぞれ設けられて構成されている。
【００２１】
作業者は、作業台車２０に工具などの被収容物が積載されていない状態で、同作業台車２０の底板２１の下面中央部に清掃具１０を取り付ける。具体的には、底板２１の下面中央部において作業台車２０の幅方向（図２（Ａ）において左右方向）に対して保持部１２の軸線が平行になるように清掃具１０を配置する。そして、作業者は、作業台車２０の底板２１において垂直方向に起立した縁部に固定体１４の２つのフック１４ｂをそれぞれ引っ掛ける。これにより、作業台車２０の底板２１の下方領域に作業台車２０の幅方向に沿って清掃具１０が装着される。この場合、清掃具１０における保持部１２から下垂する拭掃部１１は、拭掃部１１における略中央部から下方部分が床面に接触した状態となる。
【００２２】
このように拭掃部１１が床面に接触した状態において、作業台車２０が作業者により移動されると、拭掃部１１は作業台車２０の移動によって床面上を引き摺られる。これにより、作業台車２０が移動する床面上が拭掃部１１によって拭かれ、同床面上に存在するゴミが拭掃部１１に付着して回収される。すなわち、作業台車２０が移動した床面が清掃具２０によって清掃される。この場合、床面の清掃作業は、作業台車２０を操作する作業者の意図に関わらず、作業台車２０を移動させるごとに自動的に行われる。
【００２３】
そして、清掃具１０の拭掃部１１に回収したゴミが溜まり拭掃部１１の清掃能力が低下した場合には、作業者は、清掃具１０におけるフック１４ｂの一方を作業台２０の底板２１の縁部から外して掃除体１３を固定体１４から抜き取る。これにより、作業者は、拭掃部１１によって回収されたゴミを処分することができるとともに、汚れた拭掃部１１を洗浄することができる。ゴミが取り除かれた拭掃部１１、または洗浄された拭掃部１１は再び固定体１４によって作業台車２０に装着されて清掃作業に供される。なお、拭掃部１１の清掃能力が著しく低下した場合には、新規の掃除体１３を用意して前記と同様の手順で作業台車２０に装着する。
【００２４】
また、拭掃部１１における２つの単位拭掃体１１ｂのうちの一方の清掃能力が低下した場合には、同一方の単位拭掃体１１ｂのみを新規なものに交換することもできる。具体的には、作業者は、固定体１４から掃除体１３を抜き取るとともに、保持部１２における分離部分Ｓを境として一方の単位拭掃体１１ｂを他方の単位拭掃体１１ｂから切り取って分離する（図１（Ａ）ニ点鎖線参照）。この場合、保持部１２における分離部分Ｓは、返し縫いにより縫合されているため、単位拭掃体１１ｂにおける切断した端部がその後解れて撚り糸１１ｂが保持部１２から外れることはない。
【００２５】
そして、作業者は、分離した単位拭掃体１１ｂに相当する大きさの新規の単位拭掃体１１ｂを用意して分離された単位拭掃体１１ｂ（使用を続ける単位掃除体１１ｂ）とともに作業台車２０に装着する。これにより、清掃能力を未だ有する他方の単位拭掃体１１ｂを活かして掃除体１３を構成し床面の清掃作業を行うことができる。換言すれば、使用により清掃能力が低下して耐用限度を超えた一部の単位拭掃体１１ｂによって掃除体１３全体が耐用限度となることを防止している。
【００２６】
上記作動説明からも理解できるように、上記実施形態によれば、清掃具１０は、床面を掃除する掃除体１３、および同掃除体１３を作業台車２０に取り付けるための固定体１４の２つの部材で構成されている。この場合、掃除体１３は、拭掃部１１を保持する筒状の保持部１２内に固定体１４の本体ロープ１４ａが挿入されることにより支持されている。すなわち、清掃具１０は、少ない部品点数によって極めて単純に構成されている。このため、清掃具１０を従来に比べて安価に製造することができるとともに、床面上を移動可能な作業台車２０に簡単かつ短時間に着脱できる。この結果、清掃作業における経済的、時間的および工数的負担を軽減することができる。
【００２７】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００２８】
例えば、上記実施形態においては、掃除体１３を多数の撚り糸１１ａの集合であるモップで構成した。しかし、掃除体１３は、作業台車２０に装着された状態で床面に接触し、同床面に散在するゴミを拭き、または掃き取ることができる形態のものであれば、上記実施形態に限定されるものではない。例えば、布、不織布またはブラシなどを単体でまたはこれらを組み合わせて拭掃部１１を構成することができる。これによれば、清掃対象となる床面の性状やゴミの種類に応じて効果的な掃除体１３を構成することができる。この結果、清掃具１０における床面の清掃能力が向上し、同床面の清掃精度および清掃効率を高めることができる。なお、ゴミの吸着力を高めるための吸着剤を拭掃部１１に浸み込ませて用いることにより、床面の清掃精度をより一層高めることができる。
【００２９】
また、上記実施形態においては、２つの単位拭掃体１１ｂで１つの拭掃部１１を構成した。しかし、拭掃部１１を構成する単位拭掃体１１ｂの数や大きさ（単位拭掃体１１ｂの幅方向の長さ）は、当然、上記実施形態に限定されるものではない。すなわち、１つの単位拭掃体１１ｂのみ（換言すれば、単位拭掃部１１ｂを設けない）で拭掃部１３を構成してもよいし、３つ以上の単位拭掃体１１ｂを用いて１つの拭掃部１１を構成してもよい。また、２つ以上の掃除体１３を組み合わせて１つの清掃体１０を構成することもできる。例えば、図３（Ａ），（Ｂ）には、上記実施形態における作業台車２０より大型の作業台車３０に２つの掃除体１３を備えた清掃具１０を装着した例を示している。
【００３０】
作業台車３０は、荷物ＷＫ（図において二点鎖線で示す）を積載して運搬する台車であり、荷物ＷＫを積載する荷台３１を備えている。荷台３１の上面における３つの辺上には、荷崩れ防止用のパイプフレーム３２が垂直方向に延びた状態で設けられている。また、荷台３１の下面の四隅には、作業台車３０を移動させるための４つのキャスタ３３がそれぞれ設けられている。そして、この作業台車３０の荷台３１の下面には、２つの掃除体１３を備えた清掃具１０が上記実施形態と同様の態様で装着されている。すなわち、２つの掃除体１３を保持する固定体１４の両端部に設けられた各フック１４ｂが最下段のパイプフレーム３２にそれぞれ引っ掛けられて清掃具１０が装着されている。これによれば、１つの掃除体１３では幅方向の長さが不足する作業台車３０にも清掃具１０を装着して清掃作業を行うことができる。
【００３１】
また、上記実施形態においては、拭掃部１１を構成する撚り糸１１ｂの長さを全て同じ長さにして拭掃部１１の丈を一定に形成した。しかし、拭掃部１１の丈や形状は、清掃対象である床面やゴミの種類に応じて適宜決定されるものである。例えば、清掃具１０が装着される作業台車２０，３０が、溝が形成された床面上を走行する場合には、同溝内に拭掃部１１が入り込むように拭掃部１１を構成する撚り糸１１ｂの長さを適宜決定すればよい。すなわち、溝部に入り込む撚り糸１１ｂの長さを他の撚り糸１１ｂより長く形成すればよい。これによっても、上記実施形態と同様の効果が期待できる。なお、撚り糸１１ｂの長さを長く設定することにより、拭掃部１１と床面との接触面積が大きくなり清掃具１０の清掃精度を高めることができる。
【００３２】
また、上記実施形態においては、ゴム製のロープを用いて固定体１４を構成した。しかし、固定体１４は、清掃具１０を作業台車２０，３０などの移動体に装着できるものであれば、当然、上記実施形態に限定されるものではない。例えば、図４（Ａ）に示すように、化学繊維を帯状に織ったベルトを固定体１５としてもよい。この固定体１５は、掃除体１３の保持部１２内に挿入されて同掃除体１３を保持した状態で両端部が重なり合う長さに形成されるとともに、同重なり合う対向部分に一対の面ファスナ１５ａ，１５ｂがそれぞれ設けられている。
【００３３】
このように構成された固定体１５を備える清掃具１０は、例えば、図４（Ｂ）に示すような作業台車４０、すなわち、平板状の荷台４１が４つのキャスタ４２によって移動可能な状態で支持された作業台車４０に装着される。具体的には、作業台車４０における荷台４１の下面に清掃具１０を配置するとともに、固定体１５の両端部を荷台４１の上面に巻き回して面ファスナ１５ａ，１５ｂによって固定する。これにより清掃部１０を簡単に作業台車４０に装着することができる。また、この場合、固定体１５が平面状のベルトで構成されているため、固定体１５上に荷物を載置した場合であっても、載置した荷物が不安定となることがない。すなわち、清掃具１０を荷台４１に簡単かつ確実に装着できるとともに、荷台４１に積載された荷物の安定性を確保することができる。なお、図４（Ａ），（Ｂ）における固定体１５の厚さは、理解を容易にするため特に誇張して示している。
【００３４】
また、上記実施例および変形例に示す固定体１４，１５に代えて、図５（Ａ）〜（Ｄ）に示す固定体１６を用いることもできる。固定体１６は、掃除体１３の保持部１２内に挿入して同掃除体１３を保持するステンレス材からなる棒状の挿入部１６ａを備えている。この挿入部１６ａは、一方の端部（図示左側）がＬ字状に屈曲して形成されており、同一方の端部が回転自在な状態でアルミニウム材からなる長尺板状の支持部１６ｂの下面に支持されている。また、挿入部１６ａにおける他方の端部（図示右側）は、支持部１６ｂの下面から突出した状態で設けられた把持部１６ｃによって着脱自在な状態で支持されている。把持部１６ｃは、略Ｕ字状に形成された内周部に出没自在な状態でボールプランジャ１６ｄを備えており、挿入部１６ａにおける他方の端部を支持する。
【００３５】
一方、支持部１６ｂの一方の端部には、前記固定体１５と同様の化学繊維を帯状に織ったベルト１６ｅの一方の端部が固定されている。また、支持部１６ｂの他方の端部には、ベルト１６ｅの他方の端部が挿通した状態で支持部１６ｂの一方の端部に向って折り返されている。このベルト１６ｅにおける中央部上面および同中央部に対向するベルト１６ｅの自由端下面には、一対の面ファスナ１６ｆ，１６ｇがそれぞれ設けられている。このように構成された固定体１５を備える清掃具１０は、例えば、図６に示すように、平板状の荷台５１が４つのキャスタ５２によって移動可能な状態で支持された作業台車５０に装着される。なお、作業台車５０は、前記作業台車４０のキャスタ４２より大きなキャスタ５３を備えており、荷台５１の高さが荷台４１より高い位置に形成された台車である。
【００３６】
作業者は、作業台車５０の荷台５１の下面に固定体１６の支持部１６ｂを位置させるとともに、同荷台５１の上面に固定体１６のベルト１６ｅを位置させた状態で同ベルト１６ｅの自由端を引っ張って面ファスナ１６ａ，１６ｂを張り合わせることによって固定する。これにより清掃部１０を簡単に作業台車５０に装着することができ、床面の清掃作業が可能な状態となる。この場合、この変形例においても、前記変形例と同様に、固定体１６上に荷物を載置した場合であっても、載置した荷物が不安定となることがない。
【００３７】
そして、固定体１６から掃除体１３を取り外す際には、作業者は、固定体１６における挿入部１６ａの他方（図示右側）の端部を下方に下げて把持部１６ｅから外す。これにより、作業者は、固定体１６を荷台５１に装着した状態で掃除体１３を取り外すことができ、掃除体１３の交換などを容易に行える。
【００３８】
なお、前記変形例においては、挿入部１６ａを支持部１６ｂに対して回転自在な状態で支持するように構成した。しかし、挿入部１６ａを支持部１６ｂに固定的に接続してもよい。具体的には、図７に示すように、挿入部１６ａにおける一方（図示左側）の端部を支持部１６ｂの一方の端部下面に溶接により固定する。そして、挿入部１６ａにおける他方（図示右側）の端部を、いずれの部材からも支持されない状態とする。すなわち、挿入部１６ａは、片持ち梁の状態で支持部１６ｂによって支持される。そして、挿入部１６ａにおける他方の端部には、掃除体１３の抜け防止用のストッパ１６ｈを形成しておく。これによれば、前記変形例に係る固定具１６より構成を簡単にすることができるとともに、掃除体１３の取り付け、取り外し作業が更に容易になる。
【００３９】
また、上記実施形態および各変形例においては、作業台車２０，３０，４０，５０に対して、各１つずつの清掃具１０を装着した。しかし、清掃具１０を装着する数は、当然、１つに限定されるものではない。すなわち、作業台車２０，３０，４０，５０の進行方向に沿って２つ以上の清掃具１０を装着するようにしてもよい。これによれば、清掃具１０の清掃精度をより一層高めることができる。
【００４０】
また、上記実施形態および各変形例においては、工場や倉庫において用いられる作業台車２０，３０，４０，５０に清掃具１０を装着した例について説明した。しかし、本発明に係る清掃具１０は、床面上を移動可能な移動体に広く適用できるものである。例えば、商業施設におけるショッピングカートに清掃具１０を装着することにより、来店客によるショッピングカートの移動によって店内の床面を清掃することができる。
【図面の簡単な説明】
【００４１】
【図１】（Ａ），（Ｂ）本発明の一実施形態に係る清掃具の全体構成を概略的に示しており、（Ａ）は清掃具の正面図であり、（Ｂ）は（Ａ）のＡ−Ａ線から見た断面側面図である。
【図２】（Ａ），（Ｂ）は図１に示す清掃具を作業台車に装着した状態を示す図であり、（Ａ）は正面図であり、（Ｂ）は側面図である。
【図３】（Ａ），（Ｂ）は本発明の変形例に係る清掃具を作業台車に装着した状態を示す図であり、（Ａ）は正面図であり、（Ｂ）は側面図である。
【図４】（Ａ）は本発明の他の変形例に係る清掃具を示す正面図であり、（Ｂ）は（Ａ）に示す清掃具を作業台車に装着した状態を示す正面図である。
【図５】（Ａ）〜（Ｄ）は本発明の変形例に係る清掃具を示しており、（Ａ）は正面図であり、（Ｂ）は左側面図であり、（Ｃ）は右側面図であり、（Ｄ）は掃除部を取り外す状態を示した説明図である。
【図６】図５に示す清掃具を作業台車に装着した状態を示す正面図である。
【図７】本発明の他の変形例に係る清掃具を示す正面図である。
【符号の説明】
【００４２】
Ｃ…保持部分、Ｓ…分離部分、ＷＫ…荷物、１０…清掃具、１１…拭掃部、１１ａ…撚り糸、１１ｂ…単位拭掃体、１２…保持部、１２ａ…糸、１３…掃除体、１４，１５，１６…固定部、１４ａ…本体ロープ、１４ｂ…フック、１５ａ，１５ｂ，１６ｆ，１６ｇ…面ファスナ、１６ａ…挿入部、１６ｂ…支持部、１６ｃ…把持部、１６ｄ…ボールプランジャ、１６ｅ…ベルト、１６ｈ…ストッパ、２０，３０，４０，５０…作業台車、２１…底板、３１，４１，５１…荷台。
【図１】
2009219815.tif 000003
【図２】
2009219815.tif 000004
【図３】
2009219815.tif 000005
【図４】
2009219815.tif 000006
【図５】
2009219815.tif 000007
【図６】
2009219815.tif 000008
【図７】
2009219815.tif 000009